(57)【要約】【課題】構造が異なる多種のプラグを兼用できる電気コネクタを提供する。【解決手段】本発明の異なる二種のプラグが挿入可能な電気コネクタにおいて、基部、及び前記基部から前向きに延出する舌片を備える絶縁本体と、前記絶縁本体に保持される保持部、前記保持部の一端から前記舌片に延出する接触部、及び前記保持部の他端から延出する半田部を有する端子と、を備え、前記端子は、最外側に位置する二対の外側端子と、二対の外側端子の間に位置する中間端子と、を含み、前記中間端子は、前記異なる二種のプラグのうちの一方のプラグにおける１本の端子にも他方のプラグにおける２本の端子にも接続できる。【選択図】図６
2012004124.tif 000002
【特許請求の範囲】
【請求項１】
異なる二種のプラグが挿入可能な電気コネクタにおいて、
基部、及び前記基部から前向きに延出する舌片を備える絶縁本体と、
前記絶縁本体に保持される保持部、前記保持部の一端から前記舌片に延出する接触部、及び前記保持部の他端から延出する半田部を有する端子と
を備え、
前記端子は、最外側に位置する二対の外側端子と、二対の外側端子の間に位置する中間端子と、を含み、前記中間端子は、前記異なる二種のプラグのうちの一方のプラグにおける１本の端子にも他方のプラグにおける２本の端子にも接続できることを特徴とする電気コネクタ。
【請求項２】
前記端子の各接触部は、前記舌片の同一の壁に配置されることを特徴とする請求項１に記載の電気コネクタ。
【請求項３】
前記中間端子は隣り合うように配置される２本の端子を有し、
該中間端子は、前記一方のプラグにおける一本の端子に同時に接続でき、前記他方のプラグにおける２本の端子にもそれぞれ接続できることを特徴とする請求項１又は２に記載の電気コネクタ。
【請求項４】
前記絶縁本体の幅方向において、前記中間端子の接触部の間の距離は、前記二対の外側端子の接触部の間の距離より小さいことを特徴とする請求項３に記載の電気コネクタ。
【請求項５】
前記中間端子及び外側端子には一本の半田部がそれぞれ設けられ、前記端子の各半田部同士の間の距離が同じであり、前記半田部同士の間の距離は、前記接触部の間の距離より大きいことを特徴とする請求項１から４の何れか一項に記載の電気コネクタ。
【請求項６】
前記中間端子を１本だけ有して、該中間端子は、前記一方のプラグにおける一本の端子に対する接続も、他種のプラグにおける２本の端子に対する同時接続も可能であり、
前記中間端子の接触部の幅が前記外側端子の接触部の幅より大きいことを特徴とする請求項１又は２に記載の電気コネクタ。
【請求項７】
各前記外側端子には一本の半田部がそれぞれ設けられ、前記中間端子は、一本又は二本の半田部を備え、前記端子の各半田部同士の間の距離が同じであることを特徴とする請求項６に記載の電気コネクタ。
【請求項８】
前記隣り合うように配置された中間端子と外側端子との間の距離は、前記二対の外側端子の間の距離より小さいことを特徴とする請求項４または６に記載の電気コネクタ。
【請求項９】
前記端子の接触部の幅は、前記二種のプラグにおける、前記接触部に接続するための端子の接触部の幅より広いことを特徴とする請求項１から８の何れか一項に記載の電気コネクタ。
【請求項１０】
前記電気コネクタは、前記絶縁本体の周囲を覆う金属板からなるシェルを備え、前記シェルには前記二種のプラグの外形に対応する第一挿入口及び第二挿入口が形成され、前記第一挿入口と第二挿入口は、一部分が兼用されることを特徴とする請求項１から９の何れか一項に記載の電気コネクタ。
【発明の詳細な説明】
【技術分野】
【０００１】
本発明は、電気コネクタに関して、特に、多種の規格に適合するプラグコネクタに嵌合する電気コネクタに関する。
【背景技術】
【０００２】
マイクロUSB(USB2.0 High speed)は、コンピュータとその周辺機器とを接続するためのインターフェイス規格であるUSB(Universal Serial Bus)規格の中の１つであり、外形のサイズが小さいので、携帯電話やデジタルカメラに広く使用され、最大データ転送速度は480ビット/秒である。具体的な構造は、特許文献１に示されている。現在、携帯電話やデジタルカメラ等の電子製品は映像と音声を伝送することが要求されているが、マイクロUSB規格に適合する電気コネクタ（以下、マイクロUSBコネクタと称する）は、転送速度は480Mビット/秒だけであるので、映像と音声を伝送することが難しくなる。
【０００３】
中国発2009年4月22日、「DiiVA」なる規格が正式に策定された。DiiVAはDigital Interface for Video and Audioの略であり、AV機器の映像/音声を中心とするデジタルデータを伝送するためのインタフェイス規格として、保護された非圧縮の映像音声データを送信することが可能であった。データ転送速度は１０Gビット/秒以上であり、これにより、データの高速の伝送要求を満足することが可能になる。最近、携帯電話やデジタルカメラに対応するために、DiiVA規格のミニ．コネクタ（以下、ミニ．DiiVAコネクタと称する）が提供されており、このミニ．DiiVAコネクタの開口部の大きさは，マイクロUSBとほぼ同じ大きさであり、携帯電話やデジタルカメラ等の電子製品の小型化に対応できる。DiiVA規格のコネクタは、特許文献２に示されている。
【先行技術文献】
【特許文献】
【０００４】
【特許文献１】特許第４３６８８９７号公報
【特許文献２】中国実用新案公告第２０１３９７８９９号明細書
【発明の概要】
【発明が解決しようとする課題】
【０００５】
しかしながら、マイクロUSBコネクタとミニ．DiiVAコネクタとは兼用できないので、携帯電話やデジタルカメラ等の１つの電子製品に対して、マイクロUSBコネクタとミニ．DiiVAコネクタをそれぞれ設けることが必要になる場合がある。この場合、例えば、マイクロUSBコネクタとミニ．DiiVAコネクタを積み重ねるように配置すると、電気コネクタの厚さが高くなり、電子製品の薄型化に不利になる。また、マイクロUSBコネクタとミニ．DiiVAコネクタを並設するように配置すると、回路基板において電気コネクタが占有する面積が増加する恐れがある。また、マイクロUSBコネクタとミニ．DiiVAコネクタとの導電端子の数が異なるので、マイクロUSBコネクタとミニ．DiiVAコネクタとを整合させることは業界での難題である。
【０００６】
それ故に本発明の課題は、構造が異なる多種のプラグを兼用可能になる電気コネクタを提供することを目的とする。
【課題を解決するための手段】
【０００７】
本発明は、異なる二種のプラグが挿入可能な電気コネクタにおいて、基部、及び前記基部から前向きに延出する舌片を備える絶縁本体と、前記絶縁本体に保持される保持部、前記保持部の一端から前記舌片に延出する接触部、及び前記保持部の他端から延出する半田部を有する端子と、を備え、前記端子は、最外側に位置する二対の外側端子と、該二対の外側端子の間に位置する中間端子と、を含み、前記中間端子は、前記異なる二種のプラグのうちの一方のプラグにおける１本の端子にも他方のプラグにおける２本の端子にも接続できることを特徴とする。
【発明の効果】
【０００８】
従来技術に比べ、本発明の電気コネクタは以下の利点を有し、中間端子を通じて、異なる二種のプラグが挿入でき、多種のプラグを兼用することを実現でき、電気コネクタのサイズを大きくすることなく多種のプラグを兼用できる。
【図面の簡単な説明】
【０００９】
【図１】本発明に係る電気コネクタの第一実施形態での組立斜視図である。
【図２】図１に示す電気コネクタのほかの角度から見た組立斜視図である。
【図３】図１に示す電気コネクタの正面図である。
【図４】図１に示す電気コネクタの分解斜視図である。
【図５】図４に示す電気コネクタのほかの角度から見た分解斜視図である。
【図６】本発明に係る電気コネクタの第一実施形態での端子の斜視図である。
【図７】図６に示す電気コネクタの端子のほかの角度から見た斜視図である。
【図８】図６に示す電気コネクタの端子の平面図である。
【図９】本発明に係る電気コネクタの第二実施形態での組立斜視図である。
【図１０】図９に示す電気コネクタのほかの角度から見た組立斜視図である。
【図１１】図９に示す電気コネクタの分解斜視図である。
【図１２】本発明に係る電気コネクタの第二実施形態での端子の斜視図である。
【図１３】図１２に示す電気コネクタの端子の平面図である。
【図１４】本発明に係る電気コネクタの第三実施形態での組立斜視図である。
【図１５】図１４に示す電気コネクタのほかの角度から見た組立斜視図である。
【図１６】図１４に示す電気コネクタの分解斜視図である。
【図１７】本発明に係る電気コネクタの第三実施形態での端子の斜視図である。
【図１８】図１７に示す電気コネクタの端子の平面図である。
【図１９】従来のマイクロ．USB規格に適合する第一プラグの斜視図である。
【図２０】従来のミニ．DiiVA規格に適合する第２プラグの斜視図である。
【発明を実施するための形態】
【００１０】
以下、プラグを挿入する方向を後方として、プラグを離脱させる方向を前方として説明している。電気コネクタは、マイクロ．USB規格に適合する第一プラグ８００とミニ．DiiVA規格に適合する第２プラグ９００とを兼用できる。前記第一プラグ８００は、パワー端子、差動信号端子ペア、識別端子、グランド端子の順で並設された５本の導電端子８１を有しており、５本の導電端子８１同士の間のピッチは同じである。第二プラグ９００は、外側に位置する二対の差動信号端子ペア９１１と、二対の差動信号端子ペア９１１の間に位置する一対のグランド端子９１２とを含む六本の導電端子９１を有し、六本の導電端子９１の間のピッチが同じである。第一プラグ８００と第二プラグ９００とは、サイズ及び導電端子同士のピッチがそれぞれ異なる。図１〜図８を参照すると、本発明のソケットとしての電気コネクタ１００の第一実施形態について、添付図面を参照して説明する。本発明の電気コネクタ１００は、絶縁本体１と、絶縁本体１に保持される端子２と、絶縁本体１の周囲を覆うシェル３とを備える。
【００１１】
絶縁本体１は、基部１１と、基部１１から前向きに延出する舌片１２と、を備えている。前記第一プラグ８００及び第二プラグ９００には、前記舌片１２を収容するための第一収容空間８３及び第二収容空間９３がそれぞれ配設されており、第一収容空間８３の左右方向に沿った幅は、第二収容空間９３の左右方向に沿った幅より小さい。基部１１は、舌片１２が接合される先端壁１１０と、先端壁１１０の反対側に位置する後壁１１１と、頂壁１１２と、底板１１３と、前記先端壁１１０、後壁１１１、頂壁１１２及び底壁１１３にそれぞれ連接する両側壁１１４とを有する。舌片１２は、基部１１の先端壁１１０から延出するよう形成され、頂壁１１２には、前記シェル３に係合するための一対の凸部１１２１が上向きに突出するように形成される。
【００１２】
先端壁１１０のうちの前記舌片１２の下側に位置する箇所の両側には、後方に窪んだ凹部１１４１がそれぞれ設けられ、各凹部１１４１は、内側縁にシェル３に対応する折曲面１１４２が形成され、各凹部１１４１の内底壁がシェル３に当接する当接壁１１４３となっている。前記底壁１１３には、前記端子２の半田部に隣接する一部分を収容するシェル３の底部に対応する凹部１１３１が設けられ、これにより、端子２の半田付け作業によって絶縁本体１が変形することを防止できる。また、先端壁１１０には、前記基部１１の後壁１１１と両側壁１１４にそれぞれ隣接する箇所に角面１１５が凹んで形成される。
【００１３】
前記舌片１２の幅と厚さはマイクロ．USB規格に適合するソケット（図示せず）の舌片とほぼ同じであるので、舌片１２が第一プラグ８００の第一収容空間８３と第二プラグ９００の第二収容空間９３にそれぞれ収容できる。舌片１２は、上壁１２１と下壁１２２を有しており、電気コネクタ１００の相手コネクタに対する嵌合を安定させるために上壁１２１に突出部１２３が突出するように形成される。
【００１４】
前記端子２は、インサート成型により絶縁本体１に保持され、絶縁本体１の幅方向に沿って並設する６本の端子を有する。前記六本の端子２は、最外側にそれぞれ配置される二対の外側端子２５と、二対の外側端子２５の間に配置される２本の中間端子２６と、を含み、前記中間端子２６は、第一プラグ８０の中間に位置する端子８１にも第二プラグ９００の中間に位置する２本の接地端子９１２にも接続できる。各端子２は、基部１１に保持される保持部２２と、保持部２２の一端から舌片１２までに延出する接触部２１と、保持部２２の他端から延出する半田部２３とを備える。６本の端子２の各接触部２１は、幅が同じであって舌片１２の下壁１２２に一列に配置される。また、各半田部２３は幅が同じであって一列で配置されており、これにより、回路基板に半田付け作業が簡単になり、生産に有利になる。半田部２３の配置方式は、ミニ．DiiVA規格に適合するソケットと同じであるので、現在のミニ．DiiVA規格のチップに利用できる。各接触部２１の幅は、マイクロ．USB規格に適合するソケットの端子の接触部の幅及びミニ．DiiVA規格に適合するソケットの端子の接触部の幅よりも広いので、第一プラグ８００及び第二プラグ９００の安定した接続を保証できる。各接触部２１の幅は各半田部２３の幅よりも広いので、半田部２３同士の隙間が増幅され、端子２同士の間のショートを抑制できる。
【００１５】
絶縁本体１の幅方向において、２本の中間端子２６の接触部２１の間の距離Ｄ１は、各外側端子２５の接触部２１の間の距離Ｄ２よりも小さく、中間端子２６と外側端子２５との間の距離Ｄ３は、前記Ｄ１よりも大きく且つ前記Ｄ２より小さい。各半田部２３同士の距離Ｄ４は同じであって、且つ、半田部２３同士の距離Ｄ４は、前記距離Ｄ１、Ｄ２、Ｄ３より大きくなっており、即ち、Ｄ４＞Ｄ２＞Ｄ３>Ｄ１という関係になっている。前記距離Ｄ１、Ｄ２、Ｄ３は、前記マイクロ．USB規格に適合するソケットあるいはミニ．DiiVA規格に適合するソケットの端子の接触部の間の距離よりも小さいので、本発明に係る電気コネクタ１００は、端子の数と寸法が異なる前記第一プラグ８００と第二プラグ９００を兼用できる。
【００１６】
電気コネクタ１００がマイクロ．USB規格に適合する第一プラグ８００に嵌合する時に、外側端子２５の接触部２１は、第一プラグ８００のパワー端子、差動信号端子ペアの一方の信号端子、認識端子及びグランド端子に接続し、２本の中間端子２６の接触部２１が第一プラグ８００の差動信号端子ペアの他方の信号端子に同時に接続でき、USB信号を伝送するチップの設計により信号が伝送できる。
【００１７】
電気コネクタ１００がミニ．DiiVA規格に適合する第二プラグ９００に嵌合する時に、二対の外側端子２５の接触部２１は、第二プラグ９００の２対の差動信号端子ペア９１１にそれぞれ接続し、２本の中間端子２６の接触部２１が第二プラグ９００の中間に位置する２本グランド端子９１２にそれぞれ接続できる。本発明に係る電気コネクタ１００は、前記距離Ｄ１、Ｄ２、Ｄ３をあけて接触部２１が隣り合うように配置されることにより、第一プラグ８００と第二プラグ９００を兼用できる。
【００１８】
前記シェル３は、絶縁本体１の舌片１２の周囲を覆っており、第一プラグ８００と第二プラグ９００を収容するための挿入空間３０を形成している。シェル３は、舌片１２の上壁１２１に対向する天板３１と、舌片１２の下壁１２２に対向する底板３２と、天板３１と底板３２を連結する側板３３とを備える。天板３１には、後向きに延出する弾性的な押圧片３１１と、押圧片３１１の両側にそれぞれ設けられた係合孔３１２と、天板３１の後端縁から前向きに凹んで形成された切欠部３１３と、が備えられている。押圧片３１１は、挿入空間３０までに延出して、挿入空間３０に挿入された相手コネクタとしての第一プラグ８００または第二プラグ９００を押圧でき、また、係合孔３１２は、第一プラグ８００のロックアーム８２又は第二プラグ９００のロックアーム９２に係合でき、これによって、電気コネクタ１００の相手コネクタに対する安定した接続が保証できる。前記切欠部３１３が絶縁本体１に設けられた凸部１１２１に係合することにより、シェル３の後向きへの移動が制限される。
【００１９】
シェル３の側壁３３は、絶縁本体１の折曲面１１４２に対応する形状を呈し、天板３１に連接する第一側部３３１と、底板３２に連接する第二側部３３２と、第一側部３３１及び第二側部３３２にそれぞれ連接して第一側部３３１から挿入空間３０側に向かって下向きに傾斜するように延出する第三側部３３３と、を備える。前記第一側部３３１と第二側部３３２は相手コネクタの挿入方向に直交する方向に沿って平行的に配置され、絶縁本体１の幅方向において、第一側部３３１が第二側部３３２の外側に位置して、これによって、シェル３の天板３１の幅は底板３２の幅より狭くなっている。シェル３は、第一側部３３１の後縁から折れ曲がって延出する係合片３４と、第二側部３３２の下部から下向きに延出する実装片３５とを有し、前記係合片３４が絶縁本体１の基部１１の両側に形成された角面１１５に係合して基部１１の後壁１１１に保持されることにより、シェル３の前向きへの移動が制限される。
【００２０】
前記底板３２は、各第二側部３３２の下端縁からそれぞれ折れ曲がって対向するように形成される両側の第一底部３２１と、各第一底部３２１の一端からそれぞれ上向きに傾斜するように延出する両第二底部３２２と、前記両第二底部３２２を連接する第３底部３２３と、を備え、前記第一底部３２１と第３底部３２３と天板３１とは、互いに平行的に配置される。絶縁本体１の幅方向において、前記側の第一底部３２１は同一平面上に配置され、且つ長さが同じであり、また、第３底部３２３の長さが第一底部３２１よりも長い。天板３１と舌片１２の上壁１２１との間の距離は、底板３２と舌片１２の下壁１２２との間の距離より小さい。
【００２１】
前記挿入空間３０は、第一プラグ８００の外形に対応した第一プラグ８００の挿入口としての第一挿入口３０１と、第二プラグ９００の外形に対応した第二プラグ９００の挿入口としての第二挿入口３０２と、を備える。前記第一挿入口３０１は、第３底部３２３と、天板３１と、両側の側板３３と舌片１２との間に形成される。前記第二挿入口３０２は、両側の側板３３と、天板３１と、第一底部３２１と、第二底部３２２と、第三底部３２３と、舌片１２との間に形成される。前記第一挿入口３０１と第二挿入口３０２は、一部分が重なるように兼用される。
【００２２】
第一プラグ８００が挿入空間３０に挿入する時に、第一プラグ８００の外側縁は、第一挿入口３０１に接触し、即ち、前記天板３１、第三底部３２３、両第一側部３３１及び両側の第三側部３３３に接触して、前記した両側の第二側部３３２、両側の第一底部３２１及び両側の第二底部３２２に接触しない。これにより、前記天板３１と第三底部３２３により、第一プラグ８００の上下方向での移動が制限され、前記した両側の第一側部３３１と両側の第三側部３３３によって第一プラグ８００の左右方向での移動が制限され、更に、第一プラグ８００が挿入空間３０に安定して保持される。
【００２３】
第二プラグ９００が挿入空間３０に挿入する時に、第二プラグ９００の外側縁は、第二挿入口３０２に接触し、即ち、前記天板３１、両側の第一底部３２１、両側の第二底部３２２、第三底部３２３及び両側の第二側部３３２に接触し、前記した両側の第一側部３３１と両側の第三側部３３３とに接触しない。これにより、前記天板３１、両側の第一底部３２１、両側の第二底部３２２及び第三底部３２３により、第二プラグ９００の上下方向での移動が制限され、前記両側の第二側部３３２によって第二プラグ９００の左右方向での移動が制限され、更に、第二プラグ９００が挿入空間３０に安定して保持される。電気コネクタ１００は、第一プラグ８００と第二プラグ９００に兼用される挿入空間３０を有することにより、電気コネクタ１００を小型化できる。
【００２４】
図９乃至図１３を参照すると、本発明に係る電気コネクタ１００`の第二実施形態であり、第二実施形態での電気コネクタ１００`は、絶縁本体１`と、絶縁本体１`にインサート成型される端子２`と、絶縁本体１`の周囲を覆う金属板からなるシェル３`とを備え、前記絶縁本体１`とシェル３`との構造は、第一実施形態での絶縁本体１とシェル３とほぼ同じである。端子２`は、外側端子２５`と中間端子２６`とを含み、第一実施形態と異なる点は、端子２`の中間端子２６`を１本だけ有しており、該１本の中間端子２６`が第一プラグ８００の１本の端子にも第二プラグ９００の２本のグランド端子９１２にも接続できる点である。
【００２５】
相手コネクタの挿入方向に直交する方向に沿った、前記中間端子２６`の接触部２１`の幅は、外側端子２５`の幅より大きくなっており、これにより、中間端子２６`の接触部２１が第二プラグ９００の２本のグランド端子９１２に同時に接触できる。前記中間端子２６`には、保持部２２`の一端縁の両側からそれぞれ延出する一対の半田部２３`が設けられる。端子２`の各半田部２３`の幅は同じであり、且つ半田部２３`同士の間の距離Ｄ４１も同じである。端子２`の各接触部２１`の幅は、各半田部２３`の幅より大きい。
【００２６】
中間端子２６`と隣り合う外側端子２５`との間の距離Ｄ３１は、隣り合う一対の外側端子２５`の間の距離Ｄ２１より小さく、また、半田部２３`同士の間の距離Ｄ４１は、前記距離Ｄ２１、Ｄ３１より大きくなっており、即ち、Ｄ４１＞Ｄ２１＞Ｄ３１という関係になっている。
【００２７】
電気コネクタ１００`がマイクロ．USB規格に適合する第一プラグ８００に嵌合する時に、外側端子２５`の接触部２１`は、第一プラグ８００のパワー端子、差動信号端子ペアの一方の信号端子、認識端子及びグランド端子に接続し、中間端子２６`の接触部２１`が第一プラグ８００の差動信号端子ペアの他方の信号端子に接続でき、USB信号を伝送するチップの設計により信号が伝送できる。
【００２８】
電気コネクタ１００`がミニ．DiiVA規格に適合する第二プラグ９００に嵌合する時に、二対の外側端子２５`の接触部２１`は、第二プラグ９００の２対の差動信号端子ペア９１１にそれぞれ接続し、１本の中間端子２６`の接触部２１`が第二プラグ９００の中間に位置する２本のグランド端子９１２にそれぞれ接続できる。前記中間端子２６`の幅が広いので、第一プラグ８００の１本の端子にも第二プラグ９００の２本のグランド端子９１２にも接続でき、第一プラグ８００と第二プラグ９００を兼用できる。
【００２９】
図１４乃至図１８を参照すると、本発明に係る電気コネクタ１００``の第三実施形態であり、第三実施形態での電気コネクタ１００``は、絶縁本体１``と、絶縁本体１``にインサート成型される端子２``と、絶縁本体１``の周囲を覆う金属板からなるシェル３``とを備え、前記絶縁本体１``とシェル３``との構造は、第二実施形態での絶縁本体１`とシェル３`とほぼ同じである。端子２``は、外側端子２５``と中間端子２６``とを含み、第二実施形態と異なる点は、端子２``の中間端子２６``が保持部２２``から延出する１つの半田部２３``だけを有している点である。端子２``の各半田部２３``の幅が同じであり、且つ半田部２３``同士の間の距離Ｄ４２が同じであり、各接触部２１``の幅が各半田部２３``の幅より大きい。
【００３０】
中間端子２６``とその隣りの外側端子２５``との間の距離Ｄ３２は、隣り合う一対の外側端子２５``の間の距離Ｄ２２より小さく、また、半田部２３``同士の間の距離Ｄ４１は、前記距離Ｄ２１、Ｄ３１より大きくなっており、即ち、Ｄ４２＞Ｄ２２＞Ｄ３２という関係になっている。
【００３１】
電気コネクタ１００``がマイクロ．USB規格に適合する第一プラグ８００に嵌合する時に、外側端子２５``の接触部２１``は、第一プラグ８００のパワー端子、差動信号端子ペアの一方の信号端子、認識端子、グランド端子に接続し、中間端子２６``の接触部２１``が第一プラグ８００の差動信号端子ペアの他方の信号端子に接続でき、USB信号を伝送するチップの設計により信号が伝送できる。
【００３２】
電気コネクタ１００`がミニ．DiiVA規格に適合する第二プラグ９００に嵌合する時に、二対の外側端子２５``の接触部２１``は、第二プラグ９００の２対の差動信号端子ペア９１１にそれぞれ接続し、１本の中間端子２６``の接触部２１``が第二プラグ９００の中間に位置する２本グランド端子９１２にそれぞれ接続できる。前記一本の中間端子２６``の幅が広いので、第一プラグ８００の１本の端子にも第二プラグ９００の２本のグランド端子９１２にも接続でき、第一プラグ８００と第二プラグ９００を兼用できる。
【００３３】
本発明に係る電気コネクタ１００、１００`、１００``の金属板からなるシェル３、３`、３``は、構造が同じで、前記第一プラグ８００と第二プラグ９００とがそれぞれ挿入される第一挿入口と第二挿入口とを形成し、第一プラグ８００と第二プラグ９００とを兼用できる。
【００３４】
以上、本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００３５】
１００、１００`、１００``  電気コネクタ
１、１`、１``  絶縁本体
１１  基部
１２  舌片
２、２`、２``  端子
２１、２１`、２１``  接触部
２２、２２`、２２``  保持部
２３、２３`、２３``  半田部
２５、２５`、２５``  外側端子
２６、２６`、２６``  中間端子
３、３`、３``  シェル
３０  挿入空間
３０１  第一挿入口
３０２  第二挿入口
８００  第一プラグ（マイクロ．USB規格に適合するプラグ）
９００  第二プラグ（ミニ．DiiVA規格に適合するプラグ）
【図１】
2012004124.tif 000003
【図２】
2012004124.tif 000004
【図３】
2012004124.tif 000005
【図４】
2012004124.tif 000006
【図５】
2012004124.tif 000007
【図６】
2012004124.tif 000008
【図７】
2012004124.tif 000009
【図８】
2012004124.tif 000010
【図９】
2012004124.tif 000011
【図１０】
2012004124.tif 000012
【図１１】
2012004124.tif 000013
【図１２】
2012004124.tif 000014
【図１３】
2012004124.tif 000015
【図１４】
2012004124.tif 000016
【図１５】
2012004124.tif 000017
【図１６】
2012004124.tif 000018
【図１７】
2012004124.tif 000019
【図１８】
2012004124.tif 000020
【図１９】
2012004124.tif 000021
【図２０】
2012004124.tif 000022